(57)【要約】      （修正有）【課題】定着材の洗浄などの工程を必要とすることなく、例えば２次元コードなどの細かなデータを印字可能な表記部を容易に形成することができる検体保持プレート１０を提供する。【解決手段】板状の合成樹脂材あるいはガラス材により形成され、その表面部の所定位置に細胞、ＤＮＡ、ＲＮＡなどからなる検体３を保持させる検体の保持部とするとともに、表面部における検体の保持部に並設配置され、合成樹脂製フィルムまたは紙製からなる表記シール体を表面部に貼着して構成され、貼着状態において、表記シール体の上面において表記部を備えることとする。こうして表示シール体の上面を２次元コード１７等を印字するための表記部を形成することが可能となる。【選択図】図２
0003150971.tif 000002
【実用新案登録請求の範囲】
【請求項１】
板状の合成樹脂材あるいはガラス材により形成され、その表面部の所定位置に細胞、ＤＮＡ、ＲＮＡなどからなる検体を保持させる検体の保持部とするとともに、表面部における検体の保持部に並設配置され、合成樹脂製フィルムまたは紙製からなる表記シール体を表面部に貼着して構成され、貼着状態において、表記シール体の上面において表記部を備えることとしてなる検体保持プレート。
【請求項２】
上記表記シール体の上面の表記部には、２次元コードを印字し、表記可能とする平滑面としてなる請求項１に記載の検体保持プレート。
【考案の詳細な説明】
【技術分野】
【０００１】
本考案は、一般にスライドグラス、スライドプレートと呼称され、表面部に細胞組織、ＤＮＡ、ＲＮＡなどの検体を保持させることを可能とする検体保持プレートに関する。
【背景技術】
【０００２】
一般に表面部に細胞組織（細胞片、細胞など）、ＤＮＡなどの検体を保持させる検体保持プレートは、図５に示すように透明な合成樹脂板あるいはガラス板からなるプレート体１の表面部にピペット２等を用いて検体３を滴下し、表面部上に検体３を保持させるようにしていた。
【０００３】
検体３の保持は、先ず検体３をプレート体１上で乾燥、定着させた後に検体３に染色加工を施し、続いて図６に示すように染色加工を施された検体３上に合成樹脂接着材等で形成される標本封入剤４を滴下する。この状態でプレート体１の検体３が保持された上面にカバーガラス５を被覆させ、図７に示すように検体３を標本封入剤４とともに封止させることとする。
【０００４】
こうして、図４に示すようにプレート体１上に検体３が封入・保持された検体保持プレートが作製されることとなり、細胞組織、ＤＮＡなどの検体を保持・保管させることが可能となる。
【０００５】
このようにして作製される検体保持プレートにおいて、プレート体１上の検体３の上面保持部に対する離隔位置には、予め表記部６が形成される。この表記部６には、プレート体１上に封入・保持される検体３の種類、保管No.等の事項が表記可能とされ、表記部６に対するこうした事項の表記は、ボールペンなどの筆記具で記入したり、最近ではプリンタを用いて印字することにより行うようにしている。
【０００６】
表記部６はプレート体１がガラス板である場合、ガラス板にブラスト加工を施すことにより形成される。またプレート体１が合成樹脂板やガラス板などで形成される場合、その上面に合成樹脂インキを塗布した後、これに焼付加工を施すことにより形成していた。
【０００７】
ところで、最近、このようにして作製される検体保持プレートを取扱う企業、大学、病院、研究所などの組織体において、保管する検体標本の種類や数が飛躍的に増加し、表記部６に記入する事項もそれに伴い増加し、高度化する傾向にある。このため表記部６に記入する事項も必然的に細かくなり、さらに２次元コードの印字や記号印字などの必要性も生じている。
【０００８】
しかし、表記部６は、プレート体１上においてブラスト加工や合成樹脂インキを焼付加工して形成しているため、表面に細かい凹凸が存在することとなり、２次コードや記号印字など細かい情報を印字したり、記入した場合、これを判読しにくい不具合が生じていた。
【０００９】
特に、２次元コードは後に光学的リーダにより判読して使用するため、印字されたコードが判読できないと標本の管理上、致命的な問題が生じることが懸念された。
【００１０】
さらに、合成樹脂インキを塗布した後、これに焼付加工を施し、表記部６を形成する場合、その形成過程においてプレート体１の表面全体にインキの定着・焼付けのための定着材が塗布されるものとされていた。このようにして形成されるプレート体１の上面において、検体３を保持させる場合、検体３によっては定着材が検体３の保存等に悪影響を及ぼすため（例えば定着材が保存された細胞組織を破壊する等の不具合）、予めこれを洗浄する等の前処理が必要とされた。このように従来のプレート体１においては、保存する検体３によっては、定着材の洗浄、除去のプロセスが不可欠とされ、その分使い勝手が悪いものとされていた。
【先行技術文献】
【特許文献】
【００１１】
【特許文献１】特開平９−２１０８８１
【考案の概要】
【考案が解決しようとする課題】
【００１２】
本考案は、検体保持プレートの表面部の検体の保持部において、定着材の洗浄などの工程を必要とすることなく、例えば２次元コードなどの細かなデータを印字可能に表記する表記部を容易に形成することを目的とする。
【課題を解決するための手段】
【００１３】
本考案の請求項１に係る検体保持プレートは、板状の合成樹脂材あるいはガラス材により形成され、その表面部の所定位置に細胞、ＤＮＡ、ＲＮＡなどからなる検体を保持させる検体の保持部とするとともに、表面部における検体の保持部に並設配置され、合成樹脂製フィルムまたは紙製からなる表記シール体を表面部に貼着して構成され、貼着状態において、表記シール体の上面において表記部を備えることとしてなるようにしている。
【００１４】
また請求項２に係る検体保持プレートは、表記シール体の表記部を２次元コードを印字し、表記可能とする平滑面としている。
【考案の効果】
【００１５】
本考案によれば、検体保持プレートにおいて、表面部における検体の保持部に並設配置させる状態で、表記シール体がその表面部に貼着され、しかも表記シール体は合成樹脂フィルムまたは紙製からなり、上面において細かい情報を印字等の方法により表記することが可能となる。このため、検体保持プレートの表面部の検体の保持部において、定着材の洗浄などの工程を必要とすることなく、例えば２次元コードなどの細かなデータを印字可能に表記することができ、使い勝手がよく、優れた表記部を表面において容易に形成することができるという効果がある。
【００１６】
表記シール体の上面の表記部を２次元コードを印字し、表記可能とする平滑面とすることで一層使い勝手のよい検体保持プレートの提供が可能となる。
【図面の簡単な説明】
【００１７】
【図１】本考案の実施形態に係る検体保持プレートを示す斜視図である。
【図２】表記部において２次元コード等を印字してなる検体保持プレートの平面図である。
【図３】検体保持プレートにおいて、表記シール体を貼着する状態を示す断面図である。
【図４】従来の検体保持プレートの一例を示す斜視図である。
【図５】プレート体上に検体を滴下した状態を示す正面図である。
【図６】プレート体上において検体を封入・保持させる工程を示す正面図である。
【図７】図４のＶII−ＶII線に沿い、検体を封入・保持させてなる検体保持プレートの断面図である。
【考案を実施するための形態】
【００１８】
以下本考案を実施するための形態を図１ないし図３に基づいて説明する。図１に示す検体保持プレート１０は、全体長方形状からなり、透明な合成樹脂板（材）あるいはガラス板（材）により形成されるプレート体１１を備える。プレート体１１は表面部の右側中心領域を検体３を保持させるための保持部１２としている（図３参照）。
【００１９】
プレート体１１の表面部における左端位置には、図３に示すように表記シール体１６が矢印に示すように貼着される。表記シール体１６は合成樹脂製フィルムや紙製からなり、表面部の上面を２次元コードや文字などを表記可能とする平滑面としてなる。また表記シール体１６の下面には接着剤が予め塗布され、シール体１６はプレート体１１の上面に貼着された状態で容易にプレート体１１から剥離されないようにしている。
【００２０】
これによりプレート体１１の表面部において、表記シール体１６の上面を表記部とする検体保持プレート１０の提供が可能となり、該表記部を備えたシール体１６は、検体３の保持部１２に並設配置される状態となる。
【００２１】
こうして形成される検体保持プレート１０において、保持部１２に細胞、ＤＮＡ、ＲＮＡなどからなる検体３を保持させる作業は、図３に示すように従来と同様、保持部１２に検体３を滴下した上でこれを乾燥、定着させ、その後染色加工を施すようにする。
【００２２】
さらに染色加工された検体３上に合成樹脂接着剤等で形成される標本封入剤を滴下し、その上面をカバーガラス５で被覆する。これにより、検体３を封入・保持させた検体保持プレート１０が図１および図２に示すように作製されることとなる。
【００２３】
作製された検体保持プレート１０には、封入・保持された検体３の種類、保管No.等を情報化した２次元コード１７や文字データ１８が表記シール体１６上面の表記部にプリンタ等を用いて表記することが可能となる。
【００２４】
この結果、従来のように検体保持プレートの表面部の検体の保持部において、定着材の洗浄などの工程を必要とすることなく、例えば２次元コードなどの細かなデータを印字可能に表記することが可能となる。
【産業上の利用可能性】
【００２５】
本考案に係る検体保持プレートは、多くの検体標本を保管、保存しなければならず、表記部において細かいデータを表記しなければならない企業、研究所等の施設において有用とされ、その利用価値が高いものとされる。
【符号の説明】
【００２６】
１、１１    プレート体
２          ピペット
３          検体
４          標本封入剤
５          カバーグラス
６、１６    表記部
１０        検体保持プレート
１２        保持部
１７        ２次元コード
１８        文字データ
【図１】
0003150971.tif 000003
【図２】
0003150971.tif 000004
【図３】
0003150971.tif 000005
【図４】
0003150971.tif 000006
【図５】
0003150971.tif 000007
【図６】
0003150971.tif 000008
【図７】
0003150971.tif 000009